(57)【要約】【課題】ノーマルオープンタイプのシャッタを使用しても良好な画像を得ることのできるデジタルカメラを提供する。【解決手段】撮影光学系からの被写体像を撮像するＣＣＤ２２１と、撮影光学系とＣＣＤ２２１の間に配置され、チャージ状態では開放状態となっているシャッタ２１３と、可動反射ミラー２０１を駆動可能なミラーチャージレバー３５１と、シャッタ２１３を駆動可能な第１シャッタチャージレバー３６１と、この第１シャッタチャージレバーのレバー３６１を係止可能な第２シャッタチャージレバー３８３と、ミラーチャージレバー３５１と第１シャッタチャージレバー３６１に動力伝達可能なカム３５３，３５５と、第２シャッタチャージレバー３８３の係止解除は、ＣＣＤ２２１の画像データ読出しが完了した状態でのみ許容するように構成されたロックレバーカム３８１を有する。【選択図】  図３
2008053844.tif 000002
【特許請求の範囲】
【請求項１】
撮影光学系からの光束を撮影可能な撮像手段と、
上記撮影光学系からの光束を反射可能な挿入状態と、上記撮影光学系からの光束から退避した退避状態とに移動可能な反射部材と、
上記撮影光学系と上記撮像手段との間に配置され、チャージ状態では開放状態となっているシャッタユニットと、
上記反射部材を駆動可能な第１のレバーと、
上記シャッタユニットを駆動可能な第２のレバー部材と、
この第２のレバー部材を係止可能な第３のレバー部材と、
上記第１のレバー部材と第２のレバー部材に動力伝達可能なカム部材と、
を具備し、
上記第３のレバー部材の係止解除は、上記撮像手段の画像データ読出しが完了した状態でのみ許容するように構成されたカム部材を有することを特徴とするカメラ。
【請求項２】
上記第３のレバー部材は、上記カム部材によって上記第２のレバー部材への駆動力がチャージされた状態でのみ係止を解除可能としたことを特徴とする請求項１に記載のカメラ。
【請求項３】
撮影光学系からの光束を撮影可能な撮像手段と、
上記撮影光学系からの光束を反射可能な挿入状態と、上記撮影光学系からの光束から退避した退避状態とに移動可能な反射部材と、
上記撮影光学系と上記撮像手段との間に配置され、チャージ状態では開放状態となっているシャッタユニットと、
上記反射部材と、上記シャッタユニットを駆動し、露光前に使用する第１のカム区間と、露光後に使用する第２のカム区間とから構成されるカム部材と、
このカム部材からのシャッタユニット駆動力を蓄積可能なレバー機構と、
を具備し、
上記シャッタユニットの駆動力を、第２のカム区間で蓄積し、蓄積完了状態にて第２のカム区間の終端近傍で開放することでシャッタチャージを行うことを特徴とするカメラ。
【請求項４】
上記シャッタユニットは、チャージ状態では開放状態となり、露光動作完了状態では遮光状態となることを特徴とする請求項３に記載のカメラ。
【請求項５】
撮影光学系からの光束を撮影可能な撮像手段と、
上記撮影光学系からの光束を反射可能な挿入状態と、上記撮影光学系からの光束から退避した退避状態とに移動可能な反射部材と、
上記撮影光学系と上記撮像手段との間に配置され、チャージ状態では開放状態となっているシャッタユニットと、
上記反射部材を駆動可能な第１のレバー部材と、
上記シャッタユニットを駆動可能な第２のレバー部材と、
この第２のレバー部材を係止可能な第３のレバー部材と、
上記第１のレバー部材と上記第２のレバー部材に動力伝達可能なカム部材と、
を具備し、
上記第３のレバー部材は、上記カム部材によって上記第２のレバー部材への駆動力がチャージされた状態でのみ係止を解除可能としたことを特徴とするカメラ。
【請求項６】
撮影光学系からの光束を撮影可能な撮像手段と、
上記撮影光学系と上記撮像手段の間に配置され、チャージ状態では開放となっているシャッタユニットと、
反射部材と上記シャッタユニットを駆動し、露光前に使用する第１のカム区間と、露光後に使用する第２のカム区間とから構成されるカム部材と、
このカム部材からのシャッタユニット駆動力を蓄積可能なレバー機構と、
を具備し、
上記シャッタユニットの駆動力を、上記第２のカム区間で蓄積し、蓄積完了状態にて上記第２のカム区間の終端近傍で開放することでシャッタチャージを行うことを特徴とするカメラ。
【請求項７】
撮影レンズを通過した被写体光束を受光して被写体像信号を出力する撮像手段と、
上記撮影レンズと上記撮像手段との間に配置され、チャージ状態では開放状態となっているシャッタユニットと、
上記撮像手段による露光動作終了後に上記チャージ状態とするために、上記シャッタユニットにチャージ駆動力を伝達する駆動力伝達部材と、
上記撮像手段から上記被写体像信号の読出が終了するまで、上記チャージ駆動力を蓄積する駆動力蓄積部材と、
上記被写体像信号の読出終了後に、上記駆動力蓄積部材に蓄積されたチャージ駆動力によって、上記駆動力伝達部材を介して上記シャッタユニットのチャージを行うチャージ部材と、
を具備したことを特徴とするカメラ。
【請求項８】
上記駆動力伝達部材は、カムとこれに係接するレバー部材とから構成され、上記駆動力蓄積部材は弾性部材によって構成されることを特徴とする請求項７に記載のカメラ。
【請求項９】
上記撮影レンズと上記シャッタユニットの間に配置され、上記撮影レンズを通過した被写体光束の光路を変更可能な反射ミラーを有し、上記駆動力伝達部材は、上記反射ミラーにも駆動力を伝達することを特徴とする請求項７に記載のカメラ。
【請求項１０】
上記撮像手段から読み出された上記被写体像信号に基づいて動画としてのライブビュー表示を行うモニタ手段を有することを特徴とする請求項７に記載のカメラ。
【請求項１１】
撮影レンズを通過した被写体光束を受光して被写体像信号を出力する撮像手段と、
上記撮影レンズと上記撮像手段との間に配置され、チャージ状態では開放状態となっているシャッタユニットと、
このシャッタユニットをチャージ状態とするために、上記シャッタユニットにチャージ駆動力を伝達する駆動力伝達部材と、
上記撮像手段から上記被写体像信号の読出が終了するまで、上記シャッタユニットに上記チャージ駆動力の伝達を禁止する駆動力伝達禁止部材と、
を具備したことを特徴とするカメラ。
【請求項１２】
上記駆動力伝達禁止部材によって上記チャージ駆動力の伝達が禁止されている間、上記チャージ駆動力を蓄積する駆動力蓄積部材を有し、被写体像信号の読出終了後に、上記駆動力蓄積部材に蓄積されたチャージ駆動力によって、上記シャッタユニットのチャージを行うことを特徴とする請求項１１に記載のカメラ。
【発明の詳細な説明】
【技術分野】
【０００１】
本発明は、ライブビュー表示機能を有するカメラに関し、詳しくは、撮像素子で繰り返し取得した画像を表示装置に動画像として表示する所謂ライブビュー表示機能（スルー画表示機能、電子ファインダ機能とも言う）を有するカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるライブビュー表示機能を有したものが多くなってきている。
【０００３】
このようなライブビュー表示機能として、例えば、可動ミラーを撮影光路から退避させるとともにフォーカルプレーンシャッタを全開状態にして被写体像を撮像素子に導き、それによって得られた被写体像を連続的に液晶モニタに表示するようにしたライブビュー可能なデジタル一眼レフカメラが提案されている（特許文献１）。この場合、シャッタタイムラグを短縮する観点から、特許文献２に開示されているような、シャッタチャージ状態で開放されている、いわゆるノーマルオープンタイプのシャッタを採用することが考えられる。
【特許文献１】特開２００２−３６９０４２号公報
【特許文献２】特開２００４−６１８６５号公報
【発明の開示】
【発明が解決しようとする課題】
【０００４】
しかしながら、ノーマルオープンタイプのシャッタを採用した場合には、シャッタが開放された状態で、撮像素子から被写体画像信号を読み出すことになり、その際、画像信号にノイズがのってしまうという不具合が生ずるおそれがある。
【０００５】
本発明は、このような事情を鑑みてなされたものであり、ノーマルオープンタイプのシャッタを使用しても良好な画像を得ることのできるデジタルカメラを提供することを目的とする。
【課題を解決するための手段】
【０００６】
上記目的を達成するため第１の発明に係わるカメラは、撮影光学系からの光束を撮影可能な撮像手段と、上記撮影光学系からの光束を反射可能な挿入状態と、上記撮影光学系からの光束から退避した退避状態とに移動可能な反射部材と、上記撮影光学系と上記撮像手段との間に配置され、チャージ状態では開放状態となっているシャッタユニットと、上記反射部材を駆動可能な第１のレバーと、上記シャッタユニットを駆動可能な第２のレバー部材と、この第２のレバー部材を係止可能な第３のレバー部材と、上記第１のレバー部材と第２のレバー部材に動力伝達可能なカム部材を具備し、上記第３のレバー部材の係止解除は、上記撮像手段の画像データ読出しが完了した状態でのみ許容するように構成されたカム部材を有する。
第２の発明に係わるカメラは、上記第１の発明において、上記第３のレバー部材は、上記カム部材によって上記第２のレバー部材への駆動力がチャージされた状態でのみ係止を解除可能とする。
【０００７】
上記目的を達成するため、第３の発明に係わるカメラは、撮影光学系からの光束を撮影可能な撮像手段と、上記撮影光学系からの光束を反射可能な挿入状態と、上記撮影光学系からの光束から退避した退避状態とに移動可能な反射部材と、上記撮影光学系と上記撮像手段との間に配置され、チャージ状態では開放状態となっているシャッタユニットと、上記反射部材と、上記シャッタユニットを駆動し、露光前に使用する第１のカム区間と、露光後に使用する第２のカム区間とから構成されるカム部材と、このカム部材からのシャッタユニット駆動力を蓄積可能なレバー機構を具備し、上記シャッタユニットの駆動力を、第２のカム区間で蓄積し、蓄積完了状態にて第２のカム区間の終端近傍で開放することでシャッタチャージを行う。
第４の発明に係わるカメラは、上記第３の発明において、上記シャッタユニットは、チャージ状態では開放状態となり、露光動作完了状態では遮光状態となる。
【０００８】
上記目的を達成するため、第５の発明に係わるカメラは、撮影光学系からの光束を撮影可能な撮像手段と、上記撮影光学系からの光束を反射可能な挿入状態と、上記撮影光学系からの光束から退避した退避状態とに移動可能な反射部材と、上記撮影光学系と上記撮像手段との間に配置され、チャージ状態では開放状態となっているシャッタユニットと、上記反射部材を駆動可能な第１のレバー部材と、上記シャッタユニットを駆動可能な第２のレバー部材と、この第２のレバー部材を係止可能な第３のレバー部材と、上記第１のレバー部材と上記第２のレバー部材に動力伝達可能なカム部材を具備し、上記第３のレバー部材は、上記カム部材によって上記第２のレバー部材への駆動力がチャージされた状態でのみ係止を解除可能とする。
【０００９】
第６の発明に係わるカメラは、撮影光学系からの光束を撮影可能な撮像手段と、上記撮影光学系と上記撮像手段の間に配置され、チャージ状態では開放となっているシャッタユニットと、反射部材と上記シャッタユニットを駆動し、露光前に使用する第１のカム区間と、露光後に使用する第２のカム区間とから構成されるカム部材と、このカム部材からのシャッタユニット駆動力を蓄積可能なレバー機構を具備し、上記シャッタユニットの駆動力を、上記第２のカム区間で蓄積し、蓄積完了状態にて上記第２のカム区間の終端近傍で開放することでシャッタチャージを行う。
【００１０】
上記目的を達成するため第７の発明に係わるカメラは、撮影レンズを通過した被写体光束を受光して被写体像信号を出力する撮像手段と、上記撮影レンズと上記撮像手段との間に配置され、チャージ状態では開放状態となっているシャッタユニットと、上記撮像手段による露光動作終了後に上記チャージ状態とするために、上記シャッタユニットにチャージ駆動力を伝達する駆動力伝達部材と、上記撮像手段から上記被写体像信号の読出が終了するまで、上記チャージ駆動力を蓄積する駆動力蓄積部材と、上記被写体像信号の読出終了後に、上記駆動力蓄積部材に蓄積されたチャージ駆動力によって、上記駆動力伝達部材を介して上記シャッタユニットのチャージを行うチャージ部材を具備する。
第８の発明に係わるカメラは、上記第７の発明において、上記駆動力伝達部材は、カムとこれに係接するレバー部材とから構成され、上記駆動力蓄積部材は弾性部材によって構成される。
また、第９の発明に係わるカメラは、上記第７の発明において、上記撮影レンズと上記シャッタユニットの間に配置され、上記撮影レンズを通過した被写体光束の光路を変更可能な反射ミラーを有し、上記駆動力伝達部材は、上記反射ミラーにも駆動力を伝達する。
さらに、第１０の発明に係わるカメラは、上記第７の発明において、上記撮像手段から読み出された上記被写体像信号に基づいて動画としてのライブビュー表示を行うモニタ手段を有する。
【００１１】
上記目的を達成するため第１１の発明に係わるカメラは、撮影レンズを通過した被写体光束を受光して被写体像信号を出力する撮像手段と、上記撮影レンズと上記撮像手段との間に配置され、チャージ状態では開放状態となっているシャッタユニットと、このシャッタユニットをチャージ状態とするために、上記シャッタユニットにチャージ駆動力を伝達する駆動力伝達部材と、上記撮像手段から上記被写体像信号の読出が終了するまで、上記シャッタユニットに上記チャージ駆動力の伝達を禁止する駆動力伝達禁止部材を具備する。
第１２の発明に係わるカメラは、上記第１１の発明において、上記駆動力伝達禁止部材によって上記チャージ駆動力の伝達が禁止されている間、上記チャージ駆動力を蓄積する駆動力蓄積部材を有し、被写体像信号の読出終了後に、上記駆動力蓄積部材に蓄積されたチャージ駆動力によって、上記シャッタユニットのチャージを行う。
【発明の効果】
【００１２】
本発明のカメラは、ノーマルオープンタイプのシャッタを使用しても良好な画像を得ることのできるデジタルカメラを提供することができる。
【発明を実施するための最良の形態】
【００１３】
以下、図面に従って本発明を適用したデジタル一眼レフカメラを用いて好ましい一実施形態について説明する。図１は、本発明の一実施形態に係わるデジタル一眼レフレックスカメラの内部機構の概略構成を示すブロック図であり、（Ａ）は撮影レンズの光軸方向に沿った内部構成ブロック図、（Ｂ）はカメラ本体２００の正面方向からみた内部構成ブロック図である。
【００１４】
カメラ本体２００の上面にはレリーズ釦２１が配置されている。このレリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図８参照）の出力に基づいて被写体像の画像データの取り込みを行う撮影動作を実行する。
【００１５】
レンズ鏡筒１００の内部に配置された撮影レンズ１０１（図８参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた反射位置と、被写体像を撮像素子(後述のＣＣＤ（Charge Coupled Device）２２１)に導くために、撮影光路から退避した退避位置とに回動可能となっている。可動反射ミラー２０１の回動軸は図１（Ａ）の紙面に対して垂直方向に沿っている。この可動反射ミラー２０１によって、上方に被写体光束を反射する。なお、本実施形態では、上方に反射しているが、これに限らず、カメラ本体の右方でも左方でも、被写体光束の反射方向は機構部材や光学部材の配置上、最も適切になるように選択してよい。
【００１６】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。ファインダ接眼部３３は、ファインダ光学系の接眼部であって、撮影者はこの接眼部３３を覗いて被写体像の確認を行うことができる。
【００１７】
上述の可動反射ミラー２０１の中央付近はハーフミラーで構成されており、この可動反射ミラー２０１の背面には、ハーフミラー部を透過した被写体光束を反射するための測距用にサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置（反射位置）にあるときには、可動反射ミラー２０１に対して起き上がって開となり測距ユニットに被写体光束の一部を反射可能となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図８参照）を含む測距ユニット２１８が配置されており、測距ユニット２１８によって、撮影レンズ１０１によって結像される被写体像の焦点ズレ量を検出する。
【００１８】
可動反射ミラー２０１の後方には、露光時間制御用にノーマルオープンタイプのフォーカルプレーンシャッタ２１３が配置されており、このシャッタ２１３はシャッタ駆動機構２１５（図８）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１９】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動力を伝達するためのシャッタ・ミラー駆動ユニット３０３がＭＳモータ３０１の駆動軸と係合するように、ＭＳモータ３０１の下側に配置されている。また、可動反射ミラー２０１の右脇には、シャッタ２１３の駆動制御を行うためのシャッタ制御部２１３ａが配置されている。このシャッタ制御部２１３ａはシャッタ・ミラー駆動ユニット３０３と図示しない機構を介して連結している。
【００２０】
次に、図２乃至図５を用いて可動反射ミラー２０１とシャッタ２１３の駆動制構について説明する。
図２はシャッタ２１３と可動反射ミラー２０１の駆動機構を示す図であって、（Ａ）はシャッタ２１３の正面図であり、（Ｂ）は可動反射ミラー２０１のミラーダウン状態を示し、（Ｃ）はミラーアップ状態を示す図である。図２（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図２（Ａ）の実線の位置（ア）の位置（リセット位置）にあり、シャッタチャージ完了状態では、図２（Ａ）の破線の位置（イ）の位置（セット位置）に移動する。
【００２１】
前述したように、シャッタ２１３はノーマルオープンタイプのフォーカルプレーンシャッタであり、通常状態ではシャッタ先幕および後幕はそれぞれ格納室に格納され、ＣＣＤ２２１の前方は開放状態となっている。そしてＣＣＤ２２１による撮影を行うに先立って、先幕・後幕マグネットを保持する。この状態でシャッタセットレバー２１３ｂを初期状態（ア）の位置に戻すことによりシャッタ先幕は撮影光路を遮る閉じ状態に移動する。この状態において先幕マグネットの吸着を解除すると、シャッタ先幕が走行を開始することにより露光が開始し、露光時間経過後に後幕マグネットの吸着を解除することによりシャッタ後幕が走行を開始し、露光の終了を行う。これらの露光動作が終了した後、シャッタセットレバー２１３ｂをチャージ完了状態の（イ）の位置にチャージするとシャッタ２１３がチャージされ、シャッタ後幕は撮影光路から退避して格納室に格納され、ＣＣＤ２２１の前方は開放状態となる。このように、ノーマルオープンタイプのフォーカルプレーンシャッタは、通常状態では開放状態となっており、撮影の前後で一時的に閉じ状態となるシャッタである。
【００２２】
可動反射ミラー２０１のダウン状態では、図１（Ａ）に示すように、サブミラー２０３は可動反射ミラー２０１に対して開いた位置に回動している。可動反射ミラー２０１の回動軸側には、図２（Ｂ）に示すように、ミラーダウンバネ３４５が設けられており、このミラーダウンバネ３４５によって図中の反時計方向、すなわちダウン方向に付勢されている。このミラーダウンバネ３４５によって付勢された可動反射ミラー２０１は位置規制ピン３４９によって、撮影光路に対して４５度の位置に規制されている。ミラー駆動レバー３４１はＬ字状形状をしており、ミラー駆動バネ３４３によって反時計方向、すなわちミラーをアップさせるアップ方向に付勢されている。ミラー駆動レバー３４１の一端は、可動反射ミラー２０１に固設された係合ピン３４７に係合可能な位置に配置されている。なお、ミラー駆動バネ３４３のバネ力の方が、ミラーダウンバネ３４５のバネ力よりも常時強く構成されている。
【００２３】
ミラーダウン状態では、ミラー駆動レバー３４１は、ミラーチャージレバー３５１によって、ミラー駆動バネ３４３の付勢力に抗して時計方向に回動させられており、図２（Ｂ）に示す位置にある。この状態で、ミラー駆動レバー３４１を係止しているミラーチャージレバー３５１の係止点が右方に回動すると、ミラー駆動レバー３４１はミラー駆動バネ３４３の付勢力によって反時計方向に回動する。この回動に伴って、係合ピン３４７を介して、可動反射ミラー２０１はダウン位置からアップ位置に回動し、図２（Ｃ）に示す状態になる。この状態からミラー駆動レバー３４１に対するミラーチャージレバー３５１の係止点が、ミラー駆動バネ３４３の付勢力に抗して左方に回動して、図２（Ｂ）の位置に達するとミラーチャージ完了状態となる。
【００２４】
図３は、ＭＳモータ３０１の駆動力が伝達されるシャッタ・ミラー駆動ユニット３０３の分解斜視図である。図示しないギアを介して、カムギア３５７にＭＳモータ３０１の駆動力が伝達される。このカムギア３５７の下面にはカムギア３５７の回転軸の半径方向に変化するカム面３５３Ｍを有するミラーチャージカム３５３が固設されており、このミラーチャージカム３５３のカム面３５３Ｍにはミラーチャージレバー３５１の一端３５１Ｍが係接している。このミラーチャージレバー３５１の他端はミラー駆動レバー３４１と係接している。ミラー駆動レバー３４１は、ミラーチャージレバー３５１を時計方向に回動させる向きにバネ付勢されているので（図２（Ｂ）（Ｃ）参照）、ミラーチャージレバー３５１の一端はミラーチャージカム３５３に対して圧接することになる。したがって、カムギア３５７の回動に伴って、これと一体のミラーチャージカム３５３が回動し、このミラーチャージカム３５３のカム面３５３Ｍに圧接しているミラーチャージレバー３５１も追随して回動する。
【００２５】
また、カムギア３５７の上面にはカムギア３５７の回転軸の半径方向に変化するカム面３５５Ｓを有するシャッタチャージカム３５５が固設されており、このシャッタチャージカム３５５のカム面３５５Ｓには第１シャッタチャージレバー３６１の一端３６１Ｓが係接している。また、シャッタチャージカム３５５の上面にはロックレバーカム３８１が固設されている。そして、第１シャッタチャージレバー３６１はカメラ本体に回動自在に軸支されており、同軸上に第２シャッタチャージレバー３８３も軸支されている。これら第１シャッタチャージレバー３６１と第２シャッタチャージレバー３８３の軸回りには、コイルバネ３８９が配設されている。
【００２６】
第２シャッタチャージレバー３８３の腕部にはシャッタチャージピン３８５が植設されており、このシャッタチャージピン３８５は前述のシャッタセットレバー２１３ｂと係接可能な位置にある。シャッタロックレバー３８７はカメラ本体に回動自在に軸支されており、腕部のロック爪３８７Ｒは、シャッタチャージカム３５５上に設けられたロックレバーカム３８１のカム面３８１Ｒと係合可能な位置にあり。また、シャッタロックレバー３８７の腕部の他端には係止爪３８７ａが設けられており、第２シャッタチャージレバー３８３の係止部３８３ａと係合可能となっている。
【００２７】
次に、シャッタ・ミラー駆動ユニット３０３の動作を図４乃至図６を用いて説明する。図４は、露光位置でのレバーの位置を、図５はシャッタチャージ完了直前のレバーの位置を、図６はシャッタチャージ完了状態のレバーの位置を示している。まず、図４の状態では、可動反射ミラー２０１は図２（Ｃ）に示す退避位置にあり、ミラーチャージレバー３５１の一端はミラー駆動レバー３４１に係接する位置にある。また、シャッタセットレバー２１３ｂはリセット位置（図２（Ａ）の（ア）の位置参照）にあり、第２シャッタチャージレバー３８３はシャッタセットレバー２３１ｂに係接している。露光動作が終了し、ＭＳモータ３０１が回転を開始し、カムギア３５７に駆動力が伝達されると、ミラーチャージカム３５３は時計方向に回動を開始し、カム面３５３Ｍと係接するミラーチャージレバー３５１も時計方向に回動する。これによってミラー駆動レバー３４１はミラー駆動バネ３４３の付勢力に抗して回動することから、可動反射ミラー２０１は退避位置から反射位置に移動すると共に、ミラーチャージが行われる（図５参照）。
【００２８】
また、カムギア３５７の回動によって、シャッタチャージカム３５５も時計方向に回動を開始する。これによってカム面３５５Ｓと係接する第１シャッタチャージレバー３６１もコイルバネ３８９を蓄勢しながら回動する。第２シャッタチャージレバー３８３はコイルバネ３８９を介して回動力が伝達されるが、シャッタロックレバー３８７と係合しているために、その回動が禁止されており静止状態のままである。
【００２９】
図５に示す状態から更にシャッタチャージカム３５５が回動し、図６に示す状態になると、ロックレバーカム３８１のカム面３８１Ｒがシャッタロックレバー３８７のロック爪３８７Ｒに衝合する。これによって、シャッタロックレバー３８７は反時計方向に回動し、係止爪３８７ａによる第２シャッタチャージレバー３８３の係止部３８７ａの係合を解除する。この係合が解除されると、コイルバネ３８９に蓄勢されたバネ力によって第２シャッタチャージバネ３８３は、反時計方向に回動し、シャッタチャージピン３８３と係合するシャッタセットレバー２１３ｂは、リセット位置（図２（Ａ）の（ア）の位置）からセット位置（図２（Ａ）の（イ）の位置）に移動する。
【００３０】
このように、本実施形態においては、露光動作が終了しＭＳモータ３０１が回転を開始すると、まず、ミラーチャージレバー３５１を介してミラー駆動レバー３４１が回動し、可動反射ミラー２０１を退避位置から反射位置に移動させると共に、ミラーチャージ動作を行っている。また、ＭＳモータ３０１が回転を開始すると、第１シャッタチャージレバー３６１は回動を開始するものの、これと連動する第２シャッタチャージレバー３８３はシャッタロックレバー３８７によって係止されているために、静止したままでシャッタセットレバー２１３ｂの駆動を直ちに開始しない（図５の状態）。ＭＳモータ３０１の回転に伴ってロックレバーカム３８１が、シャッタロックレバー３８７のロック爪３８７Ｒと衝合する位置になると、初めて第２シャッタチャージレバー３８３が回動し、シャッタセットレバー２１３ｂはリセット位置からセット位置に移動する（図６の状態）。
【００３１】
上述したミラーチャージカム３５３のカム面３５３Ｍとシャッタチャージカム３５５のカム面３５５Ｓの展開図を図７に示す。ミラーチャージカム３５３のカム面３５３Ｍは、図示されるように、リフトカムａ、上死点領域ｂ、リバースリフトカムｃ、下死点領域ｄ、ｅの５つの領域から構成されている。また、シャッタチャージカム３５５のカム面３５５Ｓは、図示されるように、リフトカムａ、上死点領域ｂ、ｃ、ｄ、下死点領域ｅの５つの領域から構成されている。なお、図示しないが、ミラーチャージカム３５３、シャッタチャージカム３５５、もしくはこれらと一体に駆動される部材の回転もしくは移動を検知する複数のフォトインタラプタが設けられている。これらのフォトインタラプタによって、領域ｄにある間、Ｈレベル出力するＭＳ検出と、領域ｂの途中から領域ｂの終端までの間でＨレベル出力するＣ検出がなされる。また、ロックレバーカム３８１は領域ｂにおいて、シャッタロックレバー３８７と衝合し、移動する（図７参照）。
【００３２】
カム領域ａはミラーチャージ領域であり、可動反射ミラー２０１を退避位置から撮影レンズ１０１の撮影光路中に位置させる反射位置に駆動するための領域である。この領域では、ミラーチャージカム３５３は下死点から上死点に変化し、可動反射ミラー２０１は図２（Ｃ）の退避位置から、ミラーチャージレバー３５１が反時計方向に駆動され、ミラー駆動バネ３４３のチャージ動作を行う。また、シャッタチャージカム３５５のカム面３５５Ｓはリフトカムとなっているが、シャッタロックレバー３８７によって第２シャッタチャージレバー３８３は係止されたままであるので、変化はなく、シャッタ２１３はチャージ未完了状態にあり、シャッタセットレバー２１３ｂは図２（Ａ）（ア）に示す位置にある。
【００３３】
カム領域ｂはスタンバイ領域であるが、その前半（Ｃ検出がＬレベルに対応する部分）は実質的にはシャッタチャージ領域であり、シャッタロックレバー３８７とロックレバーカム３８１が衝合し、第２シャッタチャージレバー３８３がコイルバネ３８９の付勢力によって回動し、シャッタセットレバー２１３ｂは、図２（Ａ）（ア）に示すリセット位置から図２（Ａ）（イ）に示すチャージ位置に駆動され、シャッタチャージ未完了状態からシャッタチャージ完了状態に変化する。一方、ミラーチャージカム３５３のカム面３５３Ｍは上死点のままであり、可動反射ミラー２０１は撮影光路中に位置し、ファインダ光学系に被写体光束を反射する反射位置にある。
【００３４】
また、カム領域ｂの後半部（Ｃ検出がＨレベルに対応する部分）は実質的なスタンバイ領域であり、ミラーチャージカム３５３は上死点にあり、可動反射ミラー２０１はダウン状態（図２（Ｂ）参照）、すなわちファインダ光学系に被写体光束を反射する観察位置（反射位置）にある。この状態では、ファインダ光学系に被写体光束が導かれるので、ファインダによる被写体像の観察が可能である。また、測光素子２１１（図８参照）にも被写体光束が導かれ、カメラ本体はパワーオン状態であることから、測光が可能である。さらにサブミラー２０３によって被写体光束が測距ユニット２１８に導かれるので測距及び撮影レンズの合焦位置への駆動（自動焦点調節）が可能である。
【００３５】
また、カム領域ａにおいて、シャッタチャージカム３５５が上死点に駆動され、このカム領域ｂにおいて維持されているので、シャッタロックレバー３８７による第２シャッタチャージレバー３８３の係止は解除されたままであり、チャージ完了状態にある。なお、シャッタ２１３はチャージ状態にあるがシャッタセットレバー２１３ｂが退避していないので、このままではシャッタ幕の走行ができず、露光することはない。また、シャッタ２１３はノーマルオープンタイプであるので開放状態となっているが、可動反射ミラー２０１がダウン位置にあることから直接的に被写体光束がＣＣＤ２２１に入射することはない。
【００３６】
カム領域ｃはリバースチャージ領域であり、ファインダ光学系による観察を行うスタンバイ領域（カム領域ｂ）からライブビュー領域（カム領域ｄ）への遷移領域である。この領域では、ミラーチャージカム３５３のカム面３５３Ｍは、上死点から下死点に変化し、ミラーチャージレバー３５１は図２（Ｂ）に示す位置から図２（Ｃ）に示す位置に移動し、可動反射ミラー２０１はミラーダウンバネ３４５の付勢力によって反射位置（ダウン位置）から退避位置（アップ位置）に変化する。一方、シャッタチャージカム３５５のカム面３５５Ｓは、上死点のままで変化なく、シャッタロックレバー３８７による第２シャッタチャージレバー３８３の係止は解除されたままでシャッタチャージ完了状態を保っている。
【００３７】
なお、ミラーチャージ３５３のカム面３５３ａの傾斜を多少緩く形成しているので、ライブビュー領域からスタンバイ領域に戻ることも可能である。このため、ライブビューを行っている際にサブミラー２０３を介して位相差ＡＦを行うことや、測光素子２１１による測光が必要なった場合には、ＭＳモータ３０１を逆転させ、スタンバイ領域に戻って、これらの動作を行うことが可能な構成となっている。このように、領域ｂと領域ｄの間を往復動することで、繰り返し測距やピント合わせのためのレンズ駆動が可能である。
【００３８】
カム領域ｄはライブビュー領域であり、ライブビューを行うための領域である。ミラーチャージカム３５３は下死点にあり、可動反射ミラー２０１はアップ状態（図２（Ｃ）参照）、すなわち撮影光路から退避した退避位置にある。また、シャッタチャージカム３５５は上死点にあり、シャッタセットレバー２１３ｂは図２（Ａ）（イ）に示すチャージ状態を保持したままにある。この状態では、可動反射ミラー２０１は退避位置（アップ状態）であり、ノーマルオープンタイプのシャッタ２１３は開放状態であることから、撮像素子としてのＣＣＤ２２１上には被写体像が結像する。したがって、光学ファインダによる被写体像の観察は不可能であるが、このＣＣＤ２２１からの画像情報を出力することができ、この画像情報に基づいて液晶モニタ２６に被写体像を表示することができる。
【００３９】
カム領域ｅは撮影領域であり、ミラーチャージカム３５３は下死点にあることから、可動反射ミラー２０１はアップ状態（図２（Ｃ）参照）、すなわち撮影光路から退避した退避位置にある。また、シャッタチャージカム３５５は下死点に移ることから、シャッタセットレバー２１３ｂは図２（Ａ）（ア）に示す位置に移動し、シャッタ先幕および後幕が走行可能な退避位置となっている。この状態において、レリーズ釦２１の操作により２Ｒがオンとなると、シャッタ２１３を保持するシャッタマグネットの吸着解除に応じてシャッタ先幕と後幕がそれぞれ走行し、この間、ＣＣＤ２２１によって静止画を撮像し、記録することができる。なお、シャッタチャージカム３５５が下死点に移る際に、シャッタロックレバー３８７が再びシャッタチャージレバー３８３の係止を行う。
【００４０】
ミラーチャージカム３５３およびシャッタチャージカム３５５は、図中左回転（反時計回り）し、前述の如く、カムフォロア構成となっているミラーチャージレバー３５１とシャッタチャージレバー３６１を回動させる。通常モードでは、シャッタチャージ完了状態かつ可動反射ミラー２０１が反射位置にあり（カム領域ｂ）、光学ファインダで観察可能となっており、レリーズ釦２１の操作に応じてカム領域ｅに駆動され撮影を行う。一方、ライブビューモードでは、シャッタチャージ完了状態かつ可動反射ミラー２０１が退避位置にあり（カム領域ｄ）、液晶モニタ２６にてライブビュー表示を行い、レリーズ釦２１の操作に応じてカム領域ｅに駆動され撮影を行う。
【００４１】
次に、図８を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００４２】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００４３】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００４４】
また、上述したように、可動ミラー２０１の背面にはサブミラー２０３が設けられており、このサブミラー２０３の反射方向に測距センサを含む測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、レンズ１０１、１０２によって結像される被写体像を電気信号に光電変換する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００４５】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００４６】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮したり、逆に伸張するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００４７】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４８】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。カメラ本体２００に交換レンズ１００が装着されているか否かの検出を行うレンズ着脱検出スイッチ２５７がカメラ本体１００のレンズ装着用の開口部に設けられている。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５およびレンズ着脱検出スイッチ２５７は、スイッチ検出回路２５３を介してデータバス２６１に接続されている。レンズ着脱スイッチ２５７は、レンズの着脱を検出する公知の機械的スイッチで構成されるが、これに限らず、例えば、光電検出スイッチや、レンズ内のＣＰＵと通信を行うことによって検出するようにしても良く、レンズの装着・脱着状態を検出できる物であれば良い。
【００４９】
次に図９を用いてカメラ本体のパワースイッチをオンしたときのパワーオンリセットのフローについて説明する。カメラ本体の図示しないパワースイッチがオンとなったかを判定する（Ｓ１）。判定の結果、パワースイッチがオフの場合には、ステップＳ３に進み、スリープ状態となる。このスリープ状態ではパワースイッチがオンとなった場合のみに割り込み処理を行い、次のステップＳ５のパワースイッチオン処理を行う。パワースイッチがオンとなるまでは、パワースイッチ割り込み処理以外の動作を停止し、電源の消耗を防止する。ステップＳ１において、パワースイッチがオンであった場合には、ステップＳ５に進み、パワースイッチオン処理を行う。このステップＳ５では、カメラ本体の電気系について各種フラグ等の初期値のリセット動作を行い、また機械系について初期位置設定等のリセット動作を行う。
【００５０】
パワースイッチオン処理が終わると、次にライブビューモードか否かの判定を行う（Ｓ７）。カメラ本体の表示モード設定のための各種釦によってライブビューが設定されているか否かを検出し、ライブビューモードが設定されていない場合には、情報表示モードに進み（Ｓ９）、一方、ライブビューモードが設定されている場合には、ライブビューモードに進む（Ｓ１１）。情報表示モードはカメラの撮影情報等を液晶モニタ２６に表示し、撮影情報を設定変更できるモードであり、被写体像の観察は光学ファインダによって行う。ライブビューモードは、ＣＣＤ２２１で撮像した被写体像を液晶モニタ２６に表示するモードである。
【００５１】
情報表示モードまたはライブビューモードが終了すると、再び、パワースイッチがオフか否かの判定を行い（Ｓ１３）、オンであればステップＳ７に戻り前述のステップを繰り返す。パワースイッチがオフであった場合には、ステップＳ１５に進み、パワーオフのための各種処理を行う。パワーオフ時には、シャッタチャージカム３５３やミラーチャージカム３５５のカム領域ｂにセットを行う。
【００５２】
次に図１０を用いてステップＳ１１におけるライブビュー表示モードのフローを説明する。ライブビューモードに入ると、まず、測光・露光量演算を行う（Ｓ２１）。ここでは、まだカム領域ｂ（図７参照）にあり、可動反射ミラー２０１は反射位置にあるので、この可動反射ミラー２０１から導かれた被写体光束の一部を測光素子２１１は測光し、この測光値に基づいてボディＣＰＵ２２９はシャッタ速度や絞り値等の露光値を演算する。続いて、ライブビューを行うための初期設定を行う（Ｓ２２）。この初期設定では、ＣＣＤ２２１に電源の供給を行い、液晶モニタ２６におけるライブビュー表示の明度を適切に保つためにライブビュー表示条件の設定を行い、また可動反射ミラー２０１のミラーアップ動作等も行う。後者の動作については、図１１を用いて後述する。なお、このライブビュー初期設定の中で、ライブビューが開始される。
【００５３】
次に、レリーズ釦２１の半押し操作がなされているか、すなわち１Ｒがオンか否かについて判定する（Ｓ２３）。判定の結果、オンであった場合にはステップＳ２５に進み、自動焦点調節（ＡＦ）のサブルーチンを実行する。このサブルーチンにおいては、液晶モニタ２６に被写体像をライブビュー表示させながら、その画像信号に基づいて自動焦点調節と測光動作を行う。ライブビュー中の自動焦点調節動作においては、可動反射ミラー２０１が撮影光路から退避しているため、測距回路２１７の出力に基づく自動焦点調節動作ではなく、ＣＣＤ２２１の出力信号に基づくコントラストＡＦを行う。このコントラストＡＦにおいては、レンズＣＰＵ１１１と協働してＣＣＤ２２１の出力信号からコントラスト値がピークになる位置をみつける、いわゆる山登り方式で合焦駆動がなされる。なお、この自動焦点調節と測光動作は、カム領域ｃを経てカム領域ｂに移行して、この領域で可動反射ミラー２０１を反射位置に下降させた状態で測光素子２１１により測光を行うと共にサブミラー２０３によって導かれた被写体光束に基づいて測距回路２１７によって測距動作を行い、自動焦点調節が終わると、カム領域ｃを経てカム領域ｄに戻るようにしても良い。
【００５４】
ステップＳ２５における自動焦点調節（ＡＦ）が終了すると、続いて、レリーズ釦２１の全押し操作がなされたか否か、すなわち２Ｒがオンか否かについて判定する（Ｓ２７）。判定の結果、２Ｒがオンであった場合には、ステップＳ２９に進み、撮影動作を実行する。この撮影動作のサブルーチンについては、図１３を用いて後述する。撮影動作が終了すると、ステップＳ２２のライブビューの初期設定に戻り、前述のステップを繰り返す。ステップＳ２７に戻り、２Ｒがオフであった場合には、ステップＳ３１に進み、１Ｒがオンか否かの判定を行う。レリーズ釦２１が半押しされているが、全押しされていない場合には、ステップＳ２７とステップＳ３１の判定を行う待機状態となる。レリーズ釦２１から撮影者の手が離れると、ステップＳ２３に戻り、前述のステップを繰り返す。
【００５５】
ステップＳ２３に戻り、１Ｒがオフであった場合には、ステップＳ３３に進み、表示モードの切り換え、すなわちライブビューでの被写体像の表示からファインダ光学系での光学的な表示に操作釦（図示せず）によって切り換えがなされたか否かの判定を行う。判定の結果、表示モードが切り換えられた場合には、ステップＳ３５において、液晶モニタ２６での被写体像のライブビュー表示を停止するために、ＣＣＤ２２１の電源停止等の処理を行う。ステップＳ２２のライブビュー初期設定の中でライブビュー表示が開始され、このステップＳ３５においてライブビュー表示が停止されるまでの間、ＣＣＤ２２１で繰り返し取得された撮像データに基づいて、液晶モニタ２６には連続的にライブビュー表示がなされている。続いて、ステップＳ３７において、シャッタ２１３と可動反射ミラー２０１の初期化を行う。これは、ライブビューを行うにあたって、可動反射ミラー２０１をアップ位置（反射位置）に移動させていたが、光学ファインダで被写体像を観察し、液晶モニタ２６には撮影情報を表示させる情報表示モードに戻すための処理である。この初期化にあたって、ＭＳモータ３０１は、前述のミラーチャージカム３５３とシャッタチャージカム３５５がカム領域ｂに達するまで駆動を行う。
【００５６】
ステップＳ３３に戻り、表示モードが切り換えられていなかった場合には、ステップＳ４１に進み、レンズ着脱検出スイッチ２５７の状態を検出して、撮影レンズが離脱されたか否かの判定を行う。判定の結果レンズが外されていた場合には、ステップＳ４３に進み、レンズ離脱処理を行う。シャッタ２１３はノーマルオープンタイプであるために、撮影レンズが外されるとＣＣＤ２２１を覆う部材がなくなり、塵埃等が付着するおそれがあり、またＣＣＤ２２１が外界に直接露出してしまうため、これを防止する意味からシャッタ２１３の閉じ動作や可動反射ミラー２０１のダウン等を行う。レンズ離脱処理が終了すると、ステップＳ２３に戻り、前述のステップを繰り返す。
【００５７】
ステップＳ４１に戻り、撮影レンズが離脱していなかった場合には、撮影レンズが装着されたか否かについて、レンズ着脱検出スイッチの状態を検出して、判定する。判定の結果、撮影レンズが装着された場合には、ステップＳ４７に進み、レンズ装着処理を行う。前述したように、レンズが外されている場合には、シャッタ２１３の閉じ動作を行っていたが、撮影レンズが装着された場合には、シャッタ２１３の開放動作等を実行する。レンズ装着処理が終了すると、ステップＳ２２に戻り、前述のステップを繰り返す。
【００５８】
次に、前述のステップＳ２２のライブビュー初期設定について、図１１に示すフローチャートと図１２に示すタイムチャートを用いて詳述する。ライブビューを行う以前は、ミラーチャージカム３５３とシャッタチャージカム３５５は、カム領域ｂ（スタンバイ領域）にあり、ライブビューの初期化にあたっては、ＭＳモータ３０１はライブビューを行うカム領域ｄにカムギア３５７を駆動する。まず、ＭＳモータ３０１を回転させ、カム領域ｂからカム領域ｃへミラーチャージカム３５３とシャッタチャージカム３５５を駆動する（Ｓ５１）。この間、ミラー駆動レバー３４１は、図２（Ｂ）の位置から図２（Ｃ）の位置に向けて移動し、ミラー駆動バネ３４３のバネ力によって可動反射ミラー２０１は、アップ（退避）位置にむけて回動する。またシャッタチャージカム３５５のカム面３５５Ｓは変化せず、上死点のままであることから、図２（Ａ）（イ）の位置のままであり、シャッタチャージ状態を保持する。ｄ領域に達するとＭＳ検出がＬレベルからＨレベルに立ち上がり（Ｓ５３）、この立ち上がり信号に応答して、ＭＳモータ３０１の回転を停止する（Ｓ５５）。これによって、可動反射ミラー２０１はアップ（退避）位置になり、また、シャッタ２１３はシャッタチャージ状態を保持したままである。なお、前述したように、シャッタ２１３はノーマルオープンシャッタであることから、通常状態では開放されたままであり、特段、ライブビューを行うためのシャッタ開放動作は必要ない。
【００５９】
この状態では、可動反射ミラー２０１は退避位置にあり、シャッタ２１３は開放状態のままであることから、ＣＣＤ２２１上には、被写体像が結像しており、イメージャとしてのＣＣＤ２２１から画像情報の読み出しを開始する（Ｓ５７）。この読み出された画像情報に基づいて、液晶モニタ２６にライブビュー表示を行う（Ｓ５９）。ライブビュー表示を行うために、繰り返しＣＣＤ２２１から画像情報の読み出しを行い（例えば３０フレーム／秒）、動画として表示する。
【００６０】
次に、ステップＳ２９の撮影動作について、図１３に示すフローチャートを用いて詳述する。このサブルーチンは、前述したように、ライブビュー中にレリーズ釦２１が全押しされた際に、ＣＣＤ２２１からの出力に基づいて静止画を取得し、記録媒体２４５に記録を行うものである。ライブビューはカム領域ｄで行っており、撮影動作に移る場合には、シャッタ２１３の先幕・後幕マグネットを吸着保持させた後、そのままカム領域ｅにミラーチャージカム３５３とシャッタチャージカム３５５を駆動すればよい。前述したように、シャッタ２１３はノーマルオープンタイプであるので、シャッタ開放状態となっているので、露光時間制御のために、一旦閉じ状態にする。また、可動反射ミラー２０１は退避位置にあるので、その位置を保っていればよい。
【００６１】
まずシャッタ先幕および後幕保持用のマグネットＭｇに給電し、先幕および後幕を保持する（Ｓ７１）。この後、ＭＳモータ３０１の駆動を開始する（Ｓ７３）。この駆動により、カム領域ｄからカム領域ｅに向けて駆動が開始する。ミラーチャージカム３５３のカム面３５３Ｍはカム領域ｄとカム領域ｅで変化はないので、そのまま可動反射ミラー２０１は退避位置を保持するが、シャッタチャージカム３５５のカム面３５５Ｓは上死点から下死点に向けて変化し、これに応じてシャッタ先幕は開位置から閉位置に変化する。また、これとほぼ同時期に、カム領域ｄからカム領域ｅに遷移したことを検出するＭＳ検出スイッチの立ち下がり信号を検出すると（Ｓ７５）、ＭＳモータ３０１は駆動を停止する（Ｓ７７）。
【００６２】
この状態では、可動反射ミラー２０１は撮影光路から退避しており、シャッタ２１３は露光可能状態となっているので、撮影動作に移る（Ｓ７９）。まず、シャッタ先幕を保持しているマグネットＭｇの通電を停止し、シャッタ先幕の走行を開始させる。予め演算されたシャッタ速度、または手動設定されたシャッタ速度に対応した時間が経過したら、シャッタ後幕の走行を開始させる。シャッタ後幕の走行開始後、後幕が終了する時間が経過したら、ＣＣＤ２２１から画像信号の読出の指示を行う（Ｓ８１）。続いて、ＭＳモータ３０１を駆動させ（Ｓ８２）、カム領域ｅからカム領域ａに移行させる。
【００６３】
カム領域ｅからカム領域ａに移ると、ミラーチャージカム３５３のカム面３５３Ｍはリフト領域となり、ミラーチャージレバー３５１は回動して、可動反射ミラー２０１のチャージ動作を行う。カム領域ａからカム領域ｂに移り、前述のロックレバーカム３８１によって第２シャッタチャージレバー３８７の係止が解除されると、シャッタセットレバー２１３ｂがリセット位置からセット位置に移動し、シャッタチャージ動作を行う。シャッタチャージ動作の完了によってシャッタ２１３は閉じ状態から開放状態に変化する。
【００６４】
続いて、Ｃ検出スイッチがＬレベルからＨレベルに立ち上がり（Ｓ８３）、この立ち上がり信号を検出するとＭＳモータ３０１の駆動を停止させる（Ｓ８４）。この状態では、ＣＣＤ２２１から画像信号の読み出しが完了しているので、読み出された画像信号に基づく画像データを記録媒体２４５に記録する（Ｓ８５）。撮影動作のサブルーチンが終了すると、ステップＳ２２のライブビュー初期設定に戻り、このサブルーチンの中でカム領域ｂからｃ領域に移行し、ライブビューを再開する。
【００６５】
次に、図１４に示すタイムチャーを用いて、撮影動作における各部材の動作について説明する。まず、２Ｒスイッチがオンとなると、撮影動作を開始し、シャッタ先幕が走行し（ｔ１のタイミング）、演算された露光時間または手動設定された露光時間が経過するとシャッタ後幕が走行する（ｔ２のタイミング）。図４に示した各レバーの配置はこのタイミングに対応している。シャッタ後幕の走行が開始すると、シャッタ後幕の走行が終了する時間の経過を待ち、経過後にＣＣＤ２２１から画像信号の読出しを開始する（ｔ３のタイミング、Ｓ８１）。したがって、この画像信号の読出し時には、シャッタ２１３は閉鎖されたままであり、ＣＣＤ２２１上には被写体光束が導かれず、遮光された状態で読出しが行われる。
【００６６】
続いて、ＭＳモータ３０１はオンとなりカム領域ｅからカム領域ａに向けて駆動を開始する（タイミングｔ４、Ｓ８２）。これによってミラーチャージカム３５３とシャッタチャージカム３５５は回動を開始する。このとき可動反射ミラー２０１はミラーチャージカム３５３の回動により退避位置から反射位置に向けて移動を開始するが、シャッタセットレバー２１３ｂは、シャッタロックレバー３８７が第２シャッタチャージレバー３８３を係止しているために、リセット位置（図２（Ａ）の（ア））のままである。
【００６７】
ＭＳモータ３０１が回転している間に、画像信号の読出は終了し（ｔ５のタイミング）、カム領域ｂにおいてロックレバーカム３８１はシャッタロックレバー３８７に衝合し、第２シャッタチャージレバー３８３とシャッタロックレバー３８７の係合を解除し、シャッタセットレバー２１３ｂをリセット位置からセット位置に移動させる（ｔ６〜ｔ８のタイミング）。これによって、シャッタ２１３はチャージされ、閉鎖状態から開放状態に変化する。この後もＭＳモータ３０１は回転し、Ｃ検出の立ち上がり信号を検出し、ＭＳモータ３０１の回転は停止する（タイミングｔ９、Ｓ８３、Ｓ８４）。なお、前述の図５に示した各レバーの配置はタイミングｔ５に対応し、また図６に示した各レバーの配置はタイミングｔ８に対応する。
【００６８】
なお、ステップＳ９における情報表示モードにおいては、光学ファインダ被写体像を観察するスタンバイ領域を利用して行う。この場合、レリーズ釦２１が全押しされ、２Ｒがオンとなった場合には、ライブビュー領域（カム領域ｄ）を経て撮影領域（カム領域ｅ）に移動して撮影動作を行えばよい。このときの各部材の動作を図１５のタイムチャートに示す。撮影領域（カム領域ｅ）に入ってからの動作はライブビュー表示モードにおける場合と同様であるので、各タイミングｔ１〜ｔ９を付してある。
【００６９】
このように、本実施形態では、撮像後の画像信号の読出を、シャッタ２１３が閉じ状態で行い、読出完了後にシャッタ２１３のチャージ動作（開放動作）を行っている。すなわち、撮影動作を行うカム領域ｅに入り、シャッタ先幕および後幕を走行させ、露光動作が終了すると、続いてＣＣＤ２２１から画像信号の読出しを開始する（タイミングｔ３）。画像信号の読出終了後（タイミングｔ５）に、シャッタロックレバー３８７によって第２シャッタチャージレバー３８３の係止が解除されて、シャッタ２１３のチャージ動作（開放動作）を行うようにしている（タイミングｔ６〜ｔ８）。
【００７０】
以上の如く、本発明の一実施形態においては、ノーマルオープンタイプのシャッタ２１３を用い、ＣＣＤ２２１の画像信号の読出を、撮像動作終了後のシャッタ閉じ状態で開始し、画像信号の読出が完了するまでは、シャッタのチャージ動作、すなわち開放動作を禁止している。このため、画像読出時に被写体光が撮像素子に入射し、ノイズが発生してしまうという不具合を防止することができる。
【００７１】
また、本実施形態においては、シャッタ２１３はチャージ状態で開放されている、いわゆるノーマルオープンシャッタを採用しているので、ライブビュー表示を行うにあたって、シャッタの開放動作が不要となり、ライブビュー表示を簡単に行うことができる。
【００７２】
なお、本実施形態では、ミラーチャージカム３５３とシャッタチャージカム３５５の２つのカムを採用していたが、これに限らず、例えば、１つのカムで領域をミラーチャージ用とシャッタチャージ用に分けるようにしても良い。また、上記カムはスタンバイ領域（カム領域ｂ）とライブビュー領域（カム領域ｄ）の間の往復動を除けば、一方向のみの回転であったが、シャッタチャージカム２５５のカム領域ｄとカム領域ｅの間のカム形状を緩くすることによって正逆転を行うようにしてもよい。さらに、シャッタ先幕の閉じ動作を行わせるためのカム面をライブビュー領域（カム領域ｄ）としたが、撮影領域（カム領域ｅ）とすることも可能である。
【００７３】
また、本実施形態では、可動ミラー２０１を中央部がハーフミラーになっている反射ミラーとし、ライブビュー表示を行う場合には、可動ミラー２０１を撮影レンズの光路から退避させていたが、これに限らず、例えば、可動ミラーをハーフミラーで構成し、ライブビュー表示を行う場合には可動ハーフミラーを透過した被写体光束を用いるようにしても勿論構わない。この場合には、ミラーチャージカム３５３の遷移領域であるカム領域ｅと、ライブ領域であるカム領域を、ともに上死点であるカム領域とすれば良い。可動ハーフミラーを用いることにより、測距・測光センサと撮像素子であるＣＣＤに被写体光束を導くことができので、ＣＣＤの画像信号に基づいてライブビュー表示を行うと共に、測距・測光センサの出力を用いて測距や測光を並行して行うことが可能となる。本実施形態では、測距を行う際には、ライブビュー領域からスタンバイ領域に駆動しなければならなかったが、ハーフミラーを用いることにより、そのような駆動は必要なくなる。
【００７４】
さらに、本実施形態では、ミラーチャージカム３５３とシャッタチャージカム３５５の２つのカムを採用していたが、これに限らず、例えば、１つのカムで領域をミラーチャージ用とシャッタチャージ用に分けるようにしても良い。また、カム面の代わりにカム孔を使用するようにしても勿論構わない。
【００７５】
さらに、本実施形態では、撮像素子はＣＣＤ２２１の一つであったが、複数の撮像素子の出力を切り換えてライブビュー表示するようなカメラであっても適用できることは勿論である。さらに、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。
【００７６】
さらに、本実施形態では、光学ファインダ表示と動画をライブビュー表示の両方が可能なデジタルカメラであったが、被写体像表示としては、光学ファインダのみで行うカメラにも本発明を適用できる。すなわち、シャッタとしてノーマルオープンシャッタを採用したデジタルカメラにおいて、静止画の画像信号取得にあたっては、本実施形態と同様に、シャッタを閉じた状態で行い、画像信号の読出後にノーマルオープンシャッタのシャッタチャージを行い、シャッタの開放動作を行うようにすれば良い。また、逆に光学ファインダ表示を有しないライブビュー表示のみのデジタルカメラにも適用することができる。
【００７７】
本実施形態においては、本発明を一般的なデジタルカメラに適用したものであったが、これに限らず、携帯等の各種装置内のデジタルカメラでもよく、また顕微鏡、双眼鏡等の各種装置に取り付けられる専用デジタルカメラにも適用できることは勿論である。撮影対象をモニタ装置にライブビュー表示するデジタルカメラであれば、本発明を適用することができる。
【図面の簡単な説明】
【００７８】
【図１】本発明の一実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図２】本発明の一実施形態に係わるデジタル一眼レフカメラのシャッタと可動反射ミラーを示す図であって、（Ａ）はシャッタの斜視図であり、（Ｂ）は可動反射ミラーのミラーダウン状態を示し、（Ｃ）は可動反射ミラーのミラーアップ状態を示す図である。
【図３】本発明の一実施形態に係わるデジタル一眼レフカメラのシャッタ・ミラー駆動ユニットの分解斜視図である。
【図４】本発明の一実施形態に係わるデジタル一眼レフカメラのシャッタ・ミラー駆動ユニットの露光位置でのレバー状態を示す平面図である。
【図５】本発明の一実施形態に係わるデジタル一眼レフカメラのシャッタ・ミラー駆動ユニットのシャッタチャージ完了直前でのレバー状態を示す平面図である。
【図６】本発明の一実施形態に係わるデジタル一眼レフカメラのシャッタ・ミラー駆動ユニットのシャッタチャージ完了後のレバー状態を示す平面図である。
【図７】本発明の一実施形態に係わるデジタル一眼レフカメラのカム領域の展開図である。
【図８】本発明の一実施形態に係るデジタル一眼レフカメラの主として電気系の全体構成を示すブロック図である。
【図９】本発明の一実施形態におけるデジタル一眼レフカメラのパワーオンリセットのフローチャートである。
【図１０】本発明の一実施形態におけるデジタル一眼レフカメラのライブビュー表示のフローチャートである。
【図１１】本発明の一実施形態におけるデジタル一眼レフカメラのライブビュー初期設定のフローチャートである。
【図１２】本発明の一実施形態におけるデジタル一眼レフカメラのライブビュー初期設定におけるタイムチャートである。
【図１３】本発明の一実施形態におけるデジタル一眼レフカメラの撮影動作のフローチャートである。
【図１４】本発明の一実施形態におけるデジタル一眼レフカメラの撮影時（ライブビュー表示からの撮影）のタイムチャートである。
【図１５】本発明の一実施形態におけるデジタル一眼レフカメラの撮影時（情報表示からの撮影）のタイムチャートである。
【符号の説明】
【００７９】
２１  レリーズ釦
２６  液晶モニタ
３３  ファインダ
１００  レンズ鏡筒
２００  カメラ本体
２０１  可動反射ミラー
２０３  サブミラー
２１３  フォーカルプレーンシャッタ
２１３ｂ  シャッタセットレバー
２２１  ＣＣＤ
２２９  ボディＣＰＵ
２７９  ファインダ内ＣＣＤ
２２７  画像処理回路
２８５  ＣＣＤ切換回路
３０１  ＭＳモータ
３０３  シャッタ・ミラー駆動ユニット
３４１  ミラー駆動レバー
３５１  ミラーチャージレバー
３５３  ミラーチャージカム
３５５  シャッタチャージカム
３５７  カムギア
３６１  第１シャッタチャージレバー
３８１  ロックレバーカム
３８３  第２シャッタチャージレバー
３８７  シャッタロックレバー
３８９  コイルバネ
【図１】
2008053844.tif 000003
【図２】
2008053844.tif 000004
【図３】
2008053844.tif 000005
【図４】
2008053844.tif 000006
【図５】
2008053844.tif 000007
【図６】
2008053844.tif 000008
【図７】
2008053844.tif 000009
【図８】
2008053844.tif 000010
【図９】
2008053844.tif 000011
【図１０】
2008053844.tif 000012
【図１１】
2008053844.tif 000013
【図１２】
2008053844.tif 000014
【図１３】
2008053844.tif 000015
【図１４】
2008053844.tif 000016
【図１５】
2008053844.tif 000017